(57)【特許請求の範囲】
【請求項１】
フード内に送風機ユニットが内蔵され、且つフード又はフード内の送風機ユニットに、ガス調理器具の使用に伴って炎から放射される紫外線を感知する炎センサを装備すると共に、その炎センサの感知・消失により送風機ユニットを運転・停止する制御部を備えたレンジフードにおいて、前記制御部に、紫外線感知検出から紫外線消失検知までが検出設定時間以内である場合はガス調理器具のロースタ使用と判断し、ロースタ用に設定したタイマー運転に自動的に切り替わるタイマー回路を備えたことを特徴とするレンジフード。
【請求項２】
上記フード又はフード近傍に、上記タイマー回路を  ＯＦＦとするスイッチを設けたことを特徴とする請求項１記載のレンジフード。
【発明の詳細な説明】
【０００１】
【発明が属する技術分野】
本発明は台所のガス調理器具（ガスコンロ）上方に設置され、調理によって発生する燃焼ガス、油煙、臭い等を吸引排気するレンジフードで、そのレンジフードの運転・停止がガス調理器具の使用の有無を検知して自動的に行われるレンジフードに関する。
【０００２】
【従来の技術】
最近の住宅は気密化が進んできており、ガス調理器具を使用する時はそのガス調理器具の上方に設置されているレンジフードにより燃焼廃ガス、油煙、蒸気等を屋外に排気する必要がある。
しかし、ガス調理器具の使用時にレンジフードの運転スイッチが必ず操作されているとは限らない。例えば、魚を焼く時等換気の必要性が顕著な時以外には、しばしば運転されないことがある。
これの改善・対策としてはガス調理器具の使用とレンジフードの運転を連動させれば良い。
【０００３】
この連動の方式としては、レンジフードにガス調理器具の使用の有無を検知するセンサを取付け、レンジフードだけで完了し、ガス調理器具の使用・停止に連動してレンジフードが運転・停止される方式が望ましい。
そのような背景のもと、最近はガス調理器具の使用の有無をセンサで検知し、その検知信号でレンジフードの運転・停止を自動的に制御するものが開発されている。
そのガス調理器具の使用の有無を検出するセンサとしては、「温度センサ」、「ガスセンサ」、「炎センサ」等が考えられるが、即応性の点で「炎センサ」が優れている。
【０００４】
【発明が解決しようとする課題】
ところで、ガス調理器具は鍋等を載せて加熱するコンロの他に、調理器具の枠体内に「ロースタ（魚焼き器）」が組み込まれたものが普及し使用されている。このロースタは構造上枠体で隠蔽されており、その為に枠体内で立ち上ぼる炎（炎に含まれる紫外線）は「炎センサ」で検知され難いという問題点を有する。即ち、調理器具の上面に露出して設置されるコンロを使用せずに、ロースタで魚を焼いた場合、「炎センサ」がロースタの使用（着火から燃焼）及び停止（消火）を検知しなければ、レンジフード（送風機）は運転されずに停止したままの状態を続け、使用者がその状態に気が付いた時レンジフードの操作スイッチを手動操作して運転することになる。
この「炎センサ」を用いたこれらの欠点にも対応できるものとして、本件出願人は特願平８−２７２３３６号を提案済みである。
【０００５】
上記提案は、最近のガス調理器具は着火が電気（電池又は商用電源）で全てのコンロ及びロースタとも火花を飛ばすようになってきていること、及び炎センサはガス調理器具の点火火花を検知すること、そしてこの点火火花は炎センサに感知する紫外線を放射していることに着眼し、炎センサがこの点火火花を検知して運転を開始し、運転開始後炎センサがロースタ燃焼中の炎の検知が出来なくなった後は一定時間連続して運転が行われるようにしたものである。
即ち、フード内に送風機ユニットが内蔵され、且つフード又はフード内の送風機ユニットにガス調理器具の使用の有無を検知する炎センサが装備され、その炎センサの検知信号で送風機ユニットの運転・停止が自動的に行われるレンジフードにおいて、前記フードに、炎センサによる検知信号が消失した時点から一定時間連続して送風機ユニットが運転される遅延運転ボタンを設けたものである。
そして、上記遅延運転時間は使用者が例えば３分〜４０分などと選択できるようにしてある。
【０００６】
しかしながら、ロースタの使用を前提にして３０分或いは４０分を選択設定すると、通常の煮炊き調理の場合はコンロが点火されている間は炎が放射する紫外線が感知されて送風機が運転され、コンロを止めた（消火）時紫外線感知が消失してそれから上記選択されている遅延運転が継続されることになる。従って、調理が終わっても送風機が長時間運転されることになり、必要以上に排気運転をしてしまい、せっかく空調された室内空気を排出してしまうと言う不具合を生じる。
これを解消する為には、調理を終わった時点又は調理中に遅延運転時間の切り換えを行うか、或いは調理が終わった後２〜３分連続運転した後「切」ボタンを操作して停止させることができるが、いちいち手動操作するのであれば自動運転の意味合いが薄れることになる。
本発明は上記した問題点に鑑みてなされたもので、より実使用に対応した自動運転が行われるレンジフードを提供することを課題とする。
【０００７】
【課題を解決するための手段】
ところで、最近のガス調理器具はロースタ点火の時にロースタ部だけしか点火火花が飛ばないものであっても、この点火火花は炎が放射する紫外線よりも強烈な紫外線を放射しているので、ロースタの前面ガラスやコンロの各部の隙間から透過・反射して殆どの場合レンジフードに装備された炎センサに感知されることを発見した。この点火火花の発生時間は通常５秒前後連続して行われる。
そこで、本発明のレンジフードは、炎センサが紫外線感知検出から紫外線消失検知までの時間が、検出設定時間以内である場合はロースタが使用されていると判断し、ロースタ用の設定時間（例えば３０分）タイマー運転に自動的に入るようのしたものである。
上記の検出設定時間としては、点火火花の発生時間は通常５秒前後であることから、これより長く例えば１０秒に設定する。
【０００８】
又、ガス調理器具の近傍でタバコに火を点けるためにライターを使用した場合等、その点火の炎がロースタの使用と判断されて送風機が所定のタイマー運転（誤動作）をすることが考えられるが、そのような場合不要なレンジフードのタイマー運転を回避する為に、タイマー運転回路を  ＯＦＦにするスイッチをフード又はフード近傍に設けると使用に便利である。
上記の予め設定するタイマー運転の時間としては、通常魚焼きを１回行うと２０分以内、連続して２回行うと３０分以内に魚焼きが終了する実態などから設定される。
更に、炎センサの取り付け位置は下方に設置されるガス調理器具の上面全面に臨む位置であればよく、例えばフードを構成する前板の裏側下部に下側に向けて取り付ける。
【０００９】
上記手段によれば、ロースタ点火時はその点火火花が放射する紫外線が炎センサによって感知され、さの点火火花は約５秒前後で消失し、ロースタのバーナが着火燃焼するが、その燃焼の炎は該ロースタの構造等によって炎センサでは感知されない。従って、炎センサによる紫外線感知検出から紫外線消失検出までの時間は点火火花が発生されている約５秒前後で、検出設定時間よりも短い。因って、制御部は前記炎センサの検出したものはロースタの使用と判断し、予め設定されているタイマー運転が行われる。
【００１０】
又、ロースタ以外のコンロを使用した場合は、コンロの点火火花からバーナに着火された以降の燃焼炎が炎センサによって感知されるため、炎センサによる紫外線感知検出から紫外線消失検出までの時間は検出設定時間よりも長く、因ってタイマー運転ではなく通常の炎センサの紫外線消失検出で送風機の運転が停止される。従って、調理が終了しても長い時間送風機が運転されることは解消される。尚、通常の炎センサによる運転停止は、コンロの消火と同時に停止させず、コンロが消火されても燃焼廃ガスや調理臭が残る為、これらを排気するために２〜３分間の遅延運転が行われることもある。
【００１１】
【発明の実施の形態】
以下、本発明の実施の形態の一例を図面に基づいて説明する。
図１及び図２はレンジフードがガス調理器具上方に設置された使用状態を示し、図中、Ａはレンジフード、Ｂはコンロｂ１の他にロースタｂ２を有したガス調理器具である。
レンジフードＡは、下面が開口したフード１内に送風機ユニット２が収容された今日周知の形態のもので、前記フード１は前面及び下面が開口されたフード本体１ａ  の前面開口部に前板１ｂ  が着脱可能に取り付けられて構成され、そのフード本体１ａ  の背板と左右側板とに亘って底板３が架設され、その底板３の前縁とフード本体１ａ  の天板とに亘ってフィルタ支持枠４が取り付けられ、そのフィルタ支持枠４にフィルタ５が着脱可能に取り付けられて送風機ユニット２を収容設置する空間部６が区画形成されている。
【００１２】
フード１内に収容設置される送風機ユニット２は、ファンケーシングとファンとそのファンを駆動するモータとで構成された今日周知のもので、ファンケーシングの吸込口は前記フィルタ５と対向して配置され、ファンケーシングの吐出口はフード１の天板に取り付けたダクト継手７を介して排気ダクト８に連通接続され、吸引した燃焼廃ガス、油煙、臭い等を屋外に排出し得るように構成してある。
【００１３】
前記したフード１の前板１ｂ  の裏側下部には該レンジフードの下方（ガス調理器具の上面）を照らす照明器具９が取り付けられると共に、該前板１ｂ  におけるガス調理器具Ｂの上面と対向する位置に炎センサ１０が取り付けられており、その炎センサ１０がガス調理器具Ｂのコンロに着火されて生じる炎又はコンロやロースタに着火するための点火火花に含まれている紫外線を検出することで「着火検知」、この検出の消失をもって「消火検知」となる。
そして、その炎センサ１０の検知信号は図３に示すように制御部１３に入力され、その制御部１３からの出力で送風機ユニット２のモータの運転・停止が行われる。
【００１４】
又、フード１の前板１ｂ  の前面下部には図３に示すように前記した送風機ユニット２の運転（弱、中、強）・停止（切）を操作する操作スイッチ１１ａ  、及び前板１ｂ  の裏側下部に取り付けられる照明器具９を点灯・消灯する操作スイッチ１１ｂ  等の操作スイッチ１１と、後述するロースタ使用と判断して行われるタイマー運転回路を「  ０ＦＦ」にするスイッチ（ロースタ）１２と、前記した各操作スイッチの状態を表示するＬＥＤ等の表示ランプ１４が設けられている。
【００１５】
上記制御部１３には炎センサ１０が紫外線感知検出から紫外線消失検知までの時間が、検出設定時間以内である場合はロースタが使用されていると判断し、ロースタ用に予め設定してある一定時間（例えば３０分）のタイマー運転に自動的に入るタイマー運転回路が設けられている。
炎センサによる紫外線感知検出から紫外線消失検知までの時間によって送風機ユニット２の運転動作が制御されるが、その運転動作の判定の基となる検出設定時間は、点火火花の発生時間が通常５秒前後であることから、これより長く、例えば１０秒に設定する。
【００１６】
次に、上記したレンジフードの運転・停止の動作を図４及び図５に示すプログラムフローチャートに基づいて説明する。
先ず、図４に示すように操作スイッチ１１の「弱」、「中」、「強」の何れかが操作されている状態で炎センサ１０が紫外線を感知検出（炎検出）し、その炎検出が設定時間内に消失したか否かが判断され、検出設定時間内に紫外線が消失（時間内に消失）したと判断されると、図５の▲２▼に進み予め設定されている一定時間のタイマー運転が開始される。
勿論、操作スイッチ１１が操作されない状態で炎センサ１０が紫外線を感知検出（炎検出）し、その炎検出が設定時間内に消失したか否かが判断され、検出設定時間内に紫外線が消失（時間内に消失）したと判断されると、送風機ユニット２はメーカー側が予め設定してある運転速度（図面では「中」）でタイマー運転が開始される。
そして、タイマー運転開始後、操作スイッチ１１の「切」が操作されれば送風機ユニット２は停止し、速度切り換えのスイッチが操作されればその切り換えた速度で、また操作スイッチ１１が操作されなければ運転開始時の速度のままでタイマー時間経過まで運転され、時間経過により送風機ユニット２は停止する。
上記の炎検出が設定時間内に消失したか否かの判断で検出設定時間外の場合（図４の「時間内に消失」ＮＯで▲５▼の場合）には操作スイッチ１１で選択された速度で炎検知が消失するまで送風機ユニット２の運転が持続され、炎検知の消失により送風機ユニット２の運転が停止される。
【００１７】
即ち、炎センサの感知検出から消失検知までが検出設定時間（例えば１０秒）よりも短ければ、予め設定された一定時間（例えば３０分）のタイマー運転が自動的に開始され、時間の経過で停止される。又、炎センサの感知検出から消失検知までが検出設定時間（例えば１０秒）よりも長ければ、上記タイマー運転にはならず、通常の炎センサが炎消失を検出するまで送風機ユニット２の運転が持続され、炎消失を検出して停止される自動運転が実行される。
尚、ロースタｂ２の構造がバーナ燃焼中の炎が炎センサによって感知検出されるようなものである場合は、調理器具の上部に装備されるコンロ等と同じように炎センサで感知検出されている間は送風機ユニット２が継続運転され、炎消失が感知検出された時点で送風機ユニット２の運転が停止されるものである。
従って、実使用に即応したレンジフードの自動運転が行われる。
【００１８】
【発明の効果】
本発明のレンジフードは請求項１に記載の構成により、炎センサによる紫外線感知検出から紫外線消失検出までの時間が設定検出時間と比較して短ければロースタ使用と判断して予め設定された一定時間のタイマー運転が行われ、紫外線感知検出から紫外線消失検出までの時間が設定検出時間より長ければ紫外線消失が検出されるまで送風機の運転が持続される。
即ち、ガス調理器具の使用の都度、炎センサによる紫外線感知検出から紫外線消失検出までの時間が設定検出時間と比較判断されて送風機ユニットの運転が制御されるため、実使用に即応した運転が行われる。
従って、完全自動化を達成できるレンジフードを提供することができる。
又、コンロ近傍でタバコに火を点けるライターを操作した場合、そのライターの炎が炎センサで検出され、しかも炎消失までの時間が設定検出時間内であればロースタ使用と判断されて送風機ユニットがタイマー運転されるという誤動作が考えられるが、請求項２に記載の構成により該タイマー運転回路を  ＯＦＦとするスイッチ（ロースタ）を操作することで前記誤動作を防止することができる。
【図面の簡単な説明】
【図１】本発明に係るレンジフードの設置状態を示す一部切欠側面図である。
【図２】同正面図である。
【図３】送風機ユニットの運転・停止を制御する炎センサと操作スイッチの電気回路図である。
【図４】レンジフードの運転・停止の動作を示すプログラムフローチャートの前半部である。
【図５】レンジフードの運転・停止の動作を示すプログラムフローチャートの後半部で、図４に続く。
【符号の説明】
Ａ…レンジフード          Ｂ…ガス調理器具
１…フード                ２…送風機ユニット
１０…炎センサ              １１…操作スイッチ
１２…タイマー運転回路を  ＯＦＦにするスイッチ（ロースタ）
１３…制御部
【図１】
0003557320.tif 000002
【図２】
0003557320.tif 000003
【図３】
0003557320.tif 000004
【図４】
0003557320.tif 000005
【図５】
0003557320.tif 000006